(57)【要約】    【課題】    フォークリフトやパレットトラック等の荷役機械による積荷の運搬作業時において、頻繁なフォークの抜き差し作業や運搬途中の振動によって発生する牽引具の擦り切れや、突然の牽引具外れによって発生する荷崩れを容易、かつ簡易に防止し得る荷崩れ防止用パレットを提供する。【解決手段】    本発明に係る荷崩れ防止用パレット１０は、上面１と、下面２と、フォーク差込口４を有する側面３とを備え、前記上面に載置した積荷Ｐに、牽引具９の係止具７、８をかけて牽引し、固定するための荷崩れ防止用パレットである。    本発明は、このパレット１０の相対する二つの側面３に、牽引具９の係止具７、８と係合する牽引具係合孔５をフォーク差込口４と干渉しない位置に配設したことを特徴とする。【選択図】図１
2007331758.tif 000002
【特許請求の範囲】
【請求項１】
上面と下面とフォーク差込口を有する側面とを備え、前記上面に載置した積荷を、該積荷の側面間に掛け渡した牽引具で牽引し、固定する荷崩れ防止用パレットであって、
前記パレットの相対する２側面に、前記牽引具の係止具と係合する牽引具係合孔を、前記フォーク差込口に対して干渉しない位置に配設したことを特徴とする荷崩れ防止用パレット。
【請求項２】
前記牽引具係合孔を、前記パレットの側面に少なくとも３個配設したことを特徴とする請求項１に記載の荷崩れ防止用パレット。
【請求項３】
前記牽引具係合孔の前記フォーク差込口と干渉しない位置は、係合孔と係合孔との間隔が、フォークの最大拡幅幅よりも広くなる位置を含むことを特徴とする請求項１または２に記載の荷崩れ防止用パレット。
【請求項４】
前記牽引具係合孔の形状は、パレットの上面方向に向かって凸状になっていることを特徴とする請求項１〜３のいずれかに記載の荷崩れ防止用パレット。
【発明の詳細な説明】
【技術分野】
【０００１】
本発明は、荷崩れ防止用パレットに関し、特にベルト、バンド、ロープなどの牽引具で固定した積荷が搬送中に荷崩れすることなく、目的地まで安全に搬送できる荷崩れ防止用パレットに関する。  
【背景技術】
【０００２】
荷役用パレットや運搬用台車等に積載された多くの積荷を目的地まで荷崩れすることなく、安全に運搬するためには、パレット上の積荷相互をバンド、ベルト、ロープ等の牽引具で強固に結束した後、これら積荷全体を台車上に強固に固定する必要がある。
【０００３】
このような場合、従来はパレットのフォーク差込口に差し込んだ牽引具を対向面の差込口から引き出した後、積荷を周回させて再び元の差込口付近まで引き寄せ、この位置で結束していた。
【０００４】
あるいはこのような原始的な結束方法によらずとも、例えばゴムバンド、伸縮ネット等の弾性を有する牽引具の両端部にフックを設け、かかるフックの一端部をフォーク差込口に引っ掛けた後、他端部のフックを対向面の差込口に引っ掛け、牽引具の弾性力を利用して固定する方法が採られていた（例えば特許文献１）。
【０００５】
しかし、前者の方法は、パレットのフォーク差込口から相対する差込口まで相当の距離があるため、牽引具を両差込口間に迅速に挿通することが困難であった。
【０００６】
また、後者の両端フックを有する牽引具を差込口に引っ掛けて固定する方法においても、運搬途中の振動やフォークリフトの頻繁な昇降、旋回運動等により、フォークが差込口内で左右上下に移動してフックと接触するため、運搬途中に予期せぬフックの外れや擦り切れを招き、その結果突然の荷崩れを生じて大事故に至ることがあった。
【０００７】
そこで、このような牽引具を一切使用せず、パレット上に開閉扉を有する檻状の金属性フレームを立設し、この檻状フレームの中に積荷を収納することにより崩落を防止するものもある（例えば、特許文献２、特許文献３）。
【０００８】
しかし、この檻状フレーム付きパレットは、運搬中の荷崩れ防止には万全のものではあるが、パレット上に相当容積が必要であるため、使用しない場合のパレットの積み重ねと物流倉庫内での保管に不便であり、なによりも高価につく問題があった。
【特許文献１】特開２００４−１７５４２５号公報（請求項４、図１）
【特許文献２】特開２００２−１９３１０６号公報（請求項１、図１）
【特許文献３】特開２００５−２９８００３号公報（請求項３、図１）
【発明の開示】
【発明が解決しようとする課題】
【０００９】
本発明は、上記従来技術の問題点を解決するためになされたもので、フォークリフトやパレットトラック等の荷役機械による積荷の運搬作業時において、頻繁なフォークの抜き差し作業および運搬途中の振動に起因する牽引具の擦り切れや突然の牽引具外れによって発生する荷崩れを容易、かつ簡易に防止し得る荷崩れ防止用パレットを提供することを目的する。
【課題を解決するための手段】
【００１０】
この目的を達成するために、請求項１に記載の荷崩れ防止用パレットは、上面と下面とフォーク差込口を有する側面とを備え、前記上面に載置した積荷を、該積荷の側面間に掛け渡した牽引具で牽引し、固定する荷崩れ防止用パレットであって、
前記パレットの相対する２側面に、前記牽引具の係止具と係合する牽引具係合孔を、前記フォーク差込口に対して干渉しない位置に配設したことを特徴とする。
【００１１】
請求項２に記載の荷崩れ防止用パレットは、請求項１に記載の荷崩れ防止用パレットにおいて、牽引具係合孔を、前記パレットの側面に少なくとも３個配設したことを特徴とする。
【００１２】
請求項３に記載の荷崩れ防止用パレットは、請求項１または２に記載の荷崩れ防止用パレットにおいて、前記牽引具係合孔の前記フォーク差込口と干渉しない位置として、係合孔と係合孔との間隔が、フォークの最大拡幅幅よりも広くなる位置を含むことを特徴とする。
【００１３】
請求項４に記載の荷崩れ防止用パレットは、請求項１〜３のいずれかに記載の荷崩れ防止用パレットにおいて、前記牽引具係合孔の形状が、パレットの上面方向に向かって凸状にしたことを特徴とするものである。
【発明の効果】
【００１４】
請求項１に記載の荷崩れ防止用パレットによれば、荷崩れ防止用パレット牽引具の係止具と係合する牽引具係合孔を、フォーク差込口と干渉しない側面の位置に配設したので、たとえ頻繁なフォークのパレットへの抜き差し作業や運搬中におけるパレットの振動があっても、フォークリフトの爪が牽引具に直接接触することはなく、牽引具の擦り切れや突然の牽引具外れによる荷崩れを容易かつ簡易に防止することができる。
【００１５】
請求項２に記載の荷崩れ防止用パレットによれば、牽引具係合孔を前記パレットの側面に少なくとも３個配設したので、結束する際には３個のうちの至近距離にあるいずれかの係合孔を利用して結束した積荷を強固に台車上に固定することができる。
【００１６】
請求項３に記載の荷崩れ防止用パレットによれば、牽引具係合孔の前記フォーク差込口と干渉しない位置として、隣接する係合孔と係合孔との間隔がフォークの最大拡幅幅よりも広くなる位置としたので、フォークの爪と干渉しない上、積荷が長尺の場合はその両端部付近に牽引具が架かることになるので、搬送途中の荷崩れ防止効果が高くなる。
【００１７】
請求項４に記載の荷崩れ防止用パレットによれば、牽引具係合孔の形状がパレットの上面方向に向かう凸状部を有しているので、牽引具の係止具が牽引具自身の牽引力により必然的にこの凸状部で固定され、たとえ搬送途中で積荷が振動等しても牽引具が緩んだり抜け落ちたりすることがなく、荷崩れ防止効果がより一層高くなる。
【発明を実施するための最良の形態】
【００１８】
以下、本発明の一実施例の図面を参照して、本発明を実施するための好ましい形態について説明する。なお、以下に示す形態のものは一つの例示に過ぎず、本発明の技術的思想に含まれる限り、これ以外の形態のものも本発明の範囲に含まれることは勿論である。
【００１９】
図１は、本発明の荷崩れ防止用パレット１０の斜視図である。図に示すように、本発明のパレット１０は、基本的に上面１と、底面２と、その間の４つの側面３とで構成され、各側面には、図示しないフォークリフト、パレットトラックなどの運搬機械がパレットを運搬する際にフォーク爪Ｆを差し込むフォーク差込口４を３個ずつ有する。
【００２０】
これらパレットの外形形状とその寸法、フォーク爪Ｆの差込口寸法などは、公知のものと同様で、特に変わるものではない。材質についても、本実施例のものは射出成形した合成樹脂製のものを示しているが、多くの業界で使用されている木製のものや金属製のものであっても良い。
【００２１】
牽引具係合孔５は、詳細は後述するが、パレット上面１に載置した図示しない積荷に対してベルト、バンド、ロープなどの牽引具をかけた後、この孔５に牽引具端部に併設されているフックなどの係止具（図３の符号７、８参照）をかけて牽引具端部を固定し、引き締め効果を高めるためのものである。
【００２２】
この牽引具係合孔５は、パレットの少なくとも一側面３の面内であって、フォーク差込口４と干渉しない位置に配設することが必要である。
【００２３】
ここで、牽引具係合孔５の配設位置に関し、「パレットの相対する２側面に、」とは、通常パレットが有する４側面のうちの少なくとも相対する２側面に牽引具係合孔５を配設すれば、本発明の作用効果を十分に奏することができるという意味であるが、勿論４側面全面に設けても良い。
【００２４】
また、「干渉しない位置」とは、「フォーク爪Ｆの差込口４への抜き差し作業や、積荷の運搬途中にフォークが振動などにより差込口内で移動しても直接接触しない位置」という意味であり、図のものは差込口端部からそれぞれ距離Ｌ１を隔てた側面上に３箇所配設されている。
【００２５】
この場合、一側面の両端に位置する牽引具係合孔間の距離Ｌ２を、フォーク爪Ｆを最大幅に拡幅した場合に形成される最大拡幅幅Ｌ３よりも大なる位置に設定すると、フォーク爪Ｆと干渉しない上、積荷のほぼ両側に牽引具が架かることになるので、荷崩れ防止効果が高くなる。よって、係合孔５は一つのパレット側面３に何個設けても良いが、隣接する係合孔５と係合孔５とで形成される係合孔間隔を複数加えた場合に、その形成される間隔の中に前述のフォーク爪Ｆの最大拡幅幅Ｌ３よりも広くなる寸法のものが含まれるようにするとより効果的である。
【００２６】
このように、係合孔５の配設位置は、フォーク爪Ｆと干渉する位置でなければ、フォーク差込口４の上部または下部であって良く（不図示）、また、その配設数についても、牽引具数に応じた複数個としても良い。なお、牽引具係合孔５を側面以外のパレット上面１または底面３に設けることも可能ではあるが、係合孔５が上面１に載置した積荷の下や床面に隠れることになるので、牽引具を係合することができず、好ましくない。
【００２７】
牽引具係合孔５の形状としては、種々の形状のものにすることができる。これを例示したのが図２であり、例えば図２（ａ）の円形、図２（ｂ）の正方形、図２（ｃ）の正三角、図２（ｄ）のひし形や、図２（ｅ）や図２（ｆ）のように、一部に凸状部５ａを有する形状のものとすることができる。
【００２８】
これらのうち、図２（ａ）、図２（ｃ）、図２（ｄ）、図２（ｅ）および図２（ｆ）のものは、これら係合孔内にパレット上面方向に向かう凸状部５ａを有している。よって、この部分に牽引具９の係止具７、８（図３参照）が架けられた場合には、牽引具９はそのテンションによりこの凸状部５ａで固定されるため、左右に移動せず、外れにくくなる作用効果を有する。また、図２（ｂ）ものについても、その上部の２つの角部５ｂに牽引具９を斜めに架けたときの係止具７、８の固定場所として使用でき、上記と同様の効果を奏することができる。
【００２９】
これら係合孔５の形態としては、パレット側面において、貫通孔であっても良いし、牽引具の係止具を架け止めできるものであれば、いわゆる盲穴であっても良い。また、その寸法も限定するものではない。図示した上記係合孔は、シンプルな形状であるため、既存の木製パレットにおいてはその側面を切り込み加工により容易に形成することができる。また、合成樹脂製や金属製パレットにおいては、予め成形型に係合孔を中子によって設けておき、これにモールディング加工することで容易に得ることができる。
【００３０】
このような牽引具係合孔５に係合し得る牽引具としては、例えば、図３のものを使用することができる。このうち、図３の正面図（ａ）およびその側面図（ｂ）に示した牽引具９は、ベルト６の一端部にＬ字状の係止具７を設けたものである。なお、図のものは係止具７の形状をＬ字状のものとしたが、図は省略するがその他Ｓ字状やＵ字状のものとしても良い。
【００３１】
また、図３の正面図（ｃ）およびその側面図の図３（ｄ）に示した牽引具９は、前述の図２（ｅ）、図２（ｆ）の形状を有する係合孔に用いられるもので、ベルト６の一端部にフランジ８ａの外径よりも小径で、かつ、図２（ｅ）、図２（ｆ）の係合孔の凸状部５ａの内壁寸法Ｌ４よりも小さな外形のネック部８ｂを、前記凸状部５ａ内に着脱自在に掛け止めするようにしたものである。
【００３２】
図４は、以上に説明した本発明の荷崩れ防止用パレット１０上に、複数個の積荷Ｐを積載し、これに図３（ａ）および図３（ｂ）に示した牽引具９を装着した状態を示す斜視図である。
【００３３】
このように、本発明のパレット上に載置した複数個の積荷Ｐに対し、牽引具９として、例えばゴム製バンド、伸縮ネットなどの弾性帯が用いられたものを用いると、牽引具はフォークの差込時および運搬中において、常時フォーク差込口とは干渉しない距離だけ離れた位置に掛け止めされているので、頻繁なフォークのパレットへの抜き差し作業や、運搬中におけるパレットの振動等があっても、係止具７がフォークの爪Ｆと直接接触することはなく、従来技術の問題点であった牽引具の擦り切れや、突然の牽引具外れによる荷崩れを容易かつ簡易に防止することができる。
【産業上の利用可能性】
【００３４】
本発明は、パレット上に載置した積荷をフォークリフトやパレットトラックなどの荷役機械で運搬する際に、積荷の結束手段として牽引具を必要とするあらゆる物流分野において好適に使用できる。
【図面の簡単な説明】
【００３５】
【図１】本発明に係る荷崩れ防止用パレットの一実施例を示す斜視図である。
【図２】図１の牽引具係合孔の各種変形例である。
【図３】図１の牽引具係合孔に掛止めされる二種類の牽引具端部の図面で、このうち図３（ａ）はフック型のものの正面図、図３（ｂ）はその側面図、図３（ｃ）はフランジ型のものの正面図、図３（ｄ）はその側面図である。
【図４】図１の本発明の荷崩れ防止用パレットに複数個の積荷を積載し、これに図３の牽引具を装着した状態を示した斜視図である。
【符号の説明】
【００３６】
１  上面
２  下面
３  側面
４  フオーク差込口
５  牽引具係合孔
６  ベルト
７  係止具
８  係止具
９  牽引具
１０  荷崩れ防止用パレット
Ｆ  フォーク爪
Ｐ  積荷
【図１】
2007331758.tif 000003
【図２】
2007331758.tif 000004
【図３】
2007331758.tif 000005
【図４】
2007331758.tif 000006